(57)【要約】【課題】軸受を同心調整自在に支持する支持プレートを容易に固定できるモータを提供する。【解決手段】モータ１は、ロータ３、ステータ４、軸受５ａ、保持部材２ｂ、及び支持プレート６ａを備える。保持部材２ｂは、軸受５ａを保持する。支持プレート６ａは、軸受５ａを同心調整自在に支持する。保持部材２ｂは、支持プレート６ａに向かって延びる複数の突出部７を有する。複数の突出部７はそれぞれ、第１突出部７１と、第２突出部７２とを有する。第１突出部７１は、弾性力を有し、軸方向に延びる。第２突出部７２は、第１突出部７１から、軸方向と交差する延伸方向Ｄに延びる。第２突出部７２は、スライド面７２１を有する。スライド面７２１は、支持プレート６ａに近づくにつれて、延伸方向Ｄにおいて第１突出部７１から遠くなる。支持プレート６ａは、縁部１１を有する。縁部１１は、延伸方向Ｄにおいて第１突出部７１と接触する。【選択図】図６
2020034105.tif 000002
【特許請求の範囲】
【請求項１】
中心軸に沿って延びるシャフトを有するロータと、
前記ロータと径方向に対向するステータと、
前記シャフトを回転自在に支持する軸受と、
前記軸受を保持する保持部材と、
前記保持部材の前記ステータが配置される側の面に対向し、前記軸受を同心調整自在に支持する支持プレートと
を備え、
前記支持プレートは、
軸方向に貫通し、前記軸受が配置される軸受配置孔と、
前記軸受配置孔の縁から延び、前記軸受の外面と接触する接触部と
を有し、
前記支持プレート及び前記保持部材のうちの一方は、前記支持プレート及び前記保持部材のうちの他方に向かって延びる複数の突出部を有し、
前記複数の突出部はそれぞれ、
弾性力を有し、軸方向に延びる第１突出部と、
前記第１突出部から、軸方向と交差する延伸方向に延びる第２突出部と
を有し、
前記第２突出部は、前記支持プレート及び前記保持部材のうちの他方に近づくにつれて、前記延伸方向において前記第１突出部から遠くなるスライド面を有し、
前記支持プレート及び前記保持部材のうちの他方は、
前記延伸方向において前記第１突出部と接触する縁部と、
前記第２突出部と軸方向に接触する接触面と
を有する、モータ。
【請求項２】
前記保持部材は前記複数の突出部を有し、
前記縁部は、前記支持プレートの外縁を含む、請求項１に記載のモータ。
【請求項３】
前記保持部材は前記複数の突出部を有し、
前記支持プレートは、軸方向に貫通し、前記第１突出部がそれぞれ配置される複数の突出部配置孔を有し、
前記突出部配置孔は、前記軸受配置孔に対して径方向外側に位置し、
前記縁部は、前記突出部配置孔の縁を含む、請求項１に記載のモータ。
【請求項４】
前記支持プレートは、
周方向に並ぶ複数の前記接触部と、
隣り合う前記接触部の間において、前記軸受配置孔から径方向外側に向かって延びる切欠きと
を有し、
前記複数の突出部配置孔はそれぞれ、周方向において隣り合う前記切欠きの間に位置する、請求項３に記載のモータ。
【請求項５】
前記保持部材は前記複数の突出部を有し、
前記支持プレートは、前記支持プレートの外縁から径方向に凹み、前記第１突出部がそれぞれ配置される複数の凹部を有し、
前記縁部は、前記凹部の縁を含む、請求項１に記載のモータ。
【請求項６】
前記第１突出部の軸方向長さが、前記第２突出部の軸方向の長さよりも大きい、請求項１から請求項５のいずれか１項に記載のモータ。
【請求項７】
前記ロータ、前記ステータ、前記軸受、及び前記支持プレートを収容するハウジングを備え、
前記ハウジングは、前記保持部材を含み、
前記保持部材は、前記複数の突出部を有し、
前記支持プレートは、前記縁部及び前記接触面を有する、請求項１から請求項６のいずれか１項に記載のモータ。
【請求項８】
前記保持部材は、樹脂からなり、
前記保持部材は、４つの前記突出部を有し、
前記４つの突出部は、周方向に９０°間隔で配置される、請求項１から請求項７のいずれか１項に記載のモータ。
【請求項９】
オイルを含有する多孔質部材を備え、
前記多孔質部材は、前記複数の突出部の径方向内側、かつ前記支持プレートと前記保持部材との間に配置される、請求項１から請求項８のいずれか１項に記載のモータ。
【請求項１０】
オイルを含有する多孔質部材を備え、
前記保持部材は、前記複数の突出部と、前記複数の突出部を連結する壁部とを有し、
前記多孔質部材は、前記壁部の径方向内側、かつ前記支持プレートと前記保持部材との間に配置される、請求項１から請求項８のいずれか１項に記載のモータ。
【請求項１１】
前記第１突出部は、前記縁部に圧力を付与する、請求項１から請求項１０のいずれか１項に記載のモータ。
【発明の詳細な説明】
【技術分野】
【０００１】
本発明は、モータに関する。
【背景技術】
【０００２】
小型モータの回転子用ブラケットが知られている。回転子用ブラケットは、モータの回転子の両端にそれぞれ設けられる。
【０００３】
例えば、特許文献１の回転子用ブラケットは、トッププレートと、軸スリーブと、締付リングとを備える。トッププレートには、収納口が形成されている。軸スリーブは、収納口に配置される。締付リングは、軸スリーブが嵌るように配置されて、例えばリベット接合の方式でトッププレートに固定される。締付リングには、複数のバネが形成されている。複数のバネは、軸スリーブの外面に接触する。この結果、軸スリーブが自在に同心調整される。
【先行技術文献】
【特許文献】
【０００４】
【特許文献１】特表２０１５−５１３８９１号公報
【発明の概要】
【発明が解決しようとする課題】
【０００５】
しかしながら、特許文献１の回転子用ブラケットでは、締付リングをリベットによって固定している。したがって、軸受を同心調整自在に支持する部品の固定に手間がかかる。
【０００６】
本発明は上記課題に鑑みてなされた。本発明の目的は、軸受を同心調整自在に支持する部品である支持プレートを容易に固定することができるモータを提供することにある。
【課題を解決するための手段】
【０００７】
本発明の例示的なモータは、ロータと、ステータと、軸受と、保持部材と、支持プレートとを備える。前記ロータは、中心軸に沿って延びるシャフトを有する。前記ステータは、前記ロータと径方向に対向する。前記軸受は、前記シャフトを回転自在に支持する。前記保持部材は、前記軸受を保持する。前記支持プレートは、前記保持部材の前記ステータが配置される側の面に対向し、前記軸受を同心調整自在に支持する。前記支持プレートは、軸受配置孔と、接触部とを有する。前記軸受配置孔は、軸方向に貫通する。前記軸受配置孔には、前記軸受が配置される。前記接触部は、前記軸受配置孔の縁から延び、前記軸受の外面と接触する。前記支持プレート及び前記保持部材のうちの一方は、前記支持プレート及び前記保持部材のうちの他方に向かって延びる複数の突出部を有する。前記複数の突出部はそれぞれ、第１突出部と、第２突出部とを有する。前記第１突出部は、弾性力を有し、軸方向に延びる。前記第２突出部は、前記第１突出部から、軸方向と交差する延伸方向に延びる。前記第２突出部は、スライド面を有する。前記スライド面は、前記支持プレート及び前記保持部材のうちの他方に近づくにつれて、前記延伸方向において前記第１突出部から遠くなる。前記支持プレート及び前記保持部材のうちの他方は、縁部と、接触面とを有する。前記縁部は、前記延伸方向において前記第１突出部と接触する。前記接触面は、前記第２突出部と軸方向に接触する。
【発明の効果】
【０００８】
例示的な本発明によれば、軸受を同心調整自在に支持する支持プレートを容易に固定することができる。
【図面の簡単な説明】
【０００９】
【図１】図１は、本発明の実施形態１に係るモータの外観を示す図である。
【図２】図２は、本発明の実施形態１に係るモータを示す断面図である。
【図３】図３は、本発明の実施形態１に係るモータの構成の一部を示す図である。
【図４】図４は、本発明の実施形態１に係る第１支持プレートを示す図である。
【図５】図５は、本発明の実施形態１に係るモータの構成の一部を示す図である。
【図６】図６は、本発明の実施形態１に係るモータの構成の一部を示す断面図である。
【図７】図７は、本発明の実施形態１に係るモータの構成の一部を拡大して示す断面図である。
【図８】図８は、本発明の実施形態１に係るモータの構成の一部を示す図である。
【図９】図９は、本発明の実施形態１に係る第２支持プレートを示す図である。
【図１０】図１０は、本発明の実施形態１に係るモータの構成の一部を示す図である。
【図１１】図１１は、本発明の実施形態２に係るモータの構成の一部を示す図である。
【図１２】図１２は、本発明の実施形態３に係るモータの構成の一部を示す図である。
【図１３】図１３は、本発明の実施形態３に係るモータの構成の一部を示す断面図である。
【図１４】図１４は、本発明の実施形態３に係るモータの構成の一部を拡大して示す断面図である。
【図１５】図１５は、本発明の実施形態３に係るモータの他の構成の一部を示す断面図である。
【図１６】図１６は、本発明の実施形態４に係るモータの構成の一部を示す図である。
【図１７】図１７は、本発明の実施形態４に係る第１支持プレートを示す図である。
【図１８】図１８は、本発明の実施形態４に係るモータの構成の一部を示す断面図である。
【図１９】図１９は、本発明の他の実施形態に係る突出部を示す断面図である。
【発明を実施するための形態】
【００１０】
以下、本発明の例示的な実施形態について、図面を参照して説明する。ただし、説明が重複する箇所については、適宜説明を省略する場合がある。また、図中、同一又は相当部分については同一の参照符号を付して説明を繰り返さない。
【００１１】
本明細書では、便宜上、モータ１の中心軸ＣＡ（図１参照）の方向を上下方向として説明する。なお、本明細書において、上下方向は、説明の便宜上定められており、鉛直方向と一致することを意図していない。また、中心軸ＣＡの方向と平行な方向を「軸方向」と記載し、中心軸ＣＡを中心とする径方向及び周方向を「径方向」及び「周方向」と記載する。本明細書において、「平行な方向」は略平行な方向を含む。
【００１２】
［実施形態１］
まず図１及び図２を参照して、本実施形態のモータ１について説明する。図１は、本実施形態に係るモータ１の外観を示す図である。図１に示すように、モータ１は、ハウジング２を備える。本実施形態のハウジング２は、上側ハウジング２ａを有する。上側ハウジング２ａは、下側に開口を有する。また、上側ハウジング２ａは、内部に収容空間を有する。
【００１３】
図２は、本実施形態に係るモータ１を示す断面図である。図２に示すように、本実施形態のハウジング２は、下側ハウジング２ｂを更に有する。下側ハウジング２ｂは、上側ハウジング２ａの下側の開口を覆う。
【００１４】
図２に示すように、モータ１は、ロータ３と、ステータ４とを更に備える。ロータ３及びステータ４は、ハウジング２の内部に収容される。より具体的には、本実施形態のロータ３及びステータ４は、上側ハウジング２ａの収容空間に収容される。
【００１５】
図２に示すように、ロータ３は、シャフト３１と、ロータヨーク３２と、スペーサ３３と、マグネット３４とを有する。シャフト３１は中心軸ＣＡに沿って延びる。シャフト３１及びロータヨーク３２は、スペーサ３３にインサート成型によって固定される。ロータヨーク３２は、筒状であり、外周面にマグネット３４を保持する。本実施形態において、マグネット３４は、ロータヨーク３２に接着剤により固定される。ロータ３が回転することにより、シャフト３１が回転する。シャフト３１は、ハウジング２から突出する。本実施形態において、シャフト３１は、上側ハウジング２ａから上側へ突出する。
【００１６】
ステータ４は、中心軸ＣＡを中心とする環状であり、ロータ３と径方向に対向する。ステータ４は、ステータコア４１と、インシュレータ４２と、複数のコイル４３とを有する。ステータコア４１は、例えば、電磁鋼板が軸方向に積層された積層鋼板で構成される鉄心部材である。ステータコア４１は、ロータ３のマグネット３４と径方向に対向する。インシュレータ４２は、例えば、樹脂材料を用いた絶縁部材である。インシュレータ４２は、ステータコア４１の少なくとも一部を覆う。複数のコイル４３は、それぞれ、インシュレータ４２を介してステータコア４１に巻き付けられた導線（不図示）からなる。
【００１７】
外部電源（不図示）から、コイル４３に駆動電流を与えると、ステータコア４１に、径方向の磁束が発生する。そして、ステータコア４１とロータ３のマグネット３４との間の磁束の作用により、周方向のトルクが発生する。その結果、ステータ４に対してロータ３が、中心軸ＣＡを中心として回転する。
【００１８】
モータ１は、軸受と、保持部材と、支持プレートとを備える。軸受は、シャフト３１を回転自在に支持する。保持部材は軸受を保持する。支持プレートは、保持部材のステータ４が配置される側の面に対向し、軸受を同心調整自在に支持する。軸受は、モータ１の下部に位置する第１軸受５ａと、モータ１の上部に位置する第２軸受５ｂとを含む。保持部材は、上側ハウジング２ａと、下側ハウジング２ｂとを含む。支持プレートは、モータ１の下部に位置する第１支持プレート６ａと、モータ１の上部に位置する第２支持プレート６ｂとを含む。
【００１９】
続いて図３〜図７を参照して、本実施形態のモータ１の下部構造について説明する。図３は、本実施形態に係るモータ１の構成の一部を示す図である。詳しくは、図３は、下側ハウジング２ｂ付近を上側から見た図である。
【００２０】
図３に示すように、モータ１は、下側ハウジング２ｂに加えて、第１軸受５ａと、第１支持プレート６ａとを更に備える。第１軸受５ａ及び第１支持プレート６ａは、下側ハウジング２ｂに配置されて、ハウジング２の内部に収容される。
【００２１】
下側ハウジング２ｂは、保持部材の一例であり、第１軸受５ａを保持する。また、下側ハウジング２ｂは、軸方向内側面２１を有する。軸方向内側面２１は、ステータ４が配置される側の面である。
【００２２】
本実施形態において、下側ハウジング２ｂは、複数の突出部７を有する。複数の突出部７はそれぞれ、軸方向内側面２１から第１支持プレート６ａに向かって延びる。換言すると、複数の突出部７は軸方向内側面２１に接続する。なお、本実施形態において、下側ハウジング２ｂは４つの突出部７を有する。しかしながら、本発明は、これに限られない。突出部７の数は、１つであってもよい。あるいは、突出部７の数は、２つ、３つ、又は５つ以上であってもよい。
【００２３】
第１軸受５ａは、シャフト３１を回転自在に支持する。本実施形態において、第１軸受５ａは、オイルを含有する滑り軸受（スリーブ）である。
【００２４】
続いて図３及び図４を参照して、第１支持プレート６ａについて説明する。図３に示すように、第１支持プレート６ａは、下側ハウジング２ｂの軸方向内側面２１に対向する。また、第１支持プレート６ａは、第１軸受５ａを同心調整自在に支持する。
【００２５】
より具体的には、第１支持プレート６ａは、周方向に並ぶ複数の接触部６１を有する。複数の接触部６１はそれぞれ、第１軸受５ａの外面に接触する。第１支持プレート６ａは板材により形成され、複数の接触部６１はそれぞれ、第１軸受５ａに圧力を付与する。すなわち、第１支持プレート６ａは、板バネである。この結果、第１軸受５ａが同心調整自在に位置決めされる。本実施形態において、第１支持プレート６ａは、４つの接触部６１を有する。しかしながら、本発明は、これに限られない。接触部６１の数は、例えば、３つ、又は５つ以上であってもよい。
【００２６】
図４は、本実施形態に係る第１支持プレート６ａを示す図である。図３及び図４に示すように、第１支持プレート６ａは、接触部６１に加えて、軸受配置孔６２と、複数の突出部配置孔８と、接触面１０とを有する。軸受配置孔６２は、第１支持プレート６ａを軸方向に貫通する。軸受配置孔６２には、第１軸受５ａが配置される。複数の接触部６１は、軸受配置孔６２の縁６２ａから第１軸受５ａに向かって延びる。本実施形態の第１支持プレート６ａは円盤状であり、軸受配置孔６２は、第１支持プレート６ａの略中央に位置する。
【００２７】
各突出部配置孔８は、軸受配置孔６２に対して径方向外側に位置する。各突出部配置孔８は第１支持プレート６ａを軸方向に貫通しており、各突出部配置孔８から突出部７が突出する。換言すると、複数の突出部７はそれぞれ異なる突出部配置孔８に配置される。本実施形態において、接触面１０は、図２を参照して説明したステータ４が配置される側の面である。すなわち、第１支持プレート６ａの接触面１０は、第１支持プレート６ａの上面である。
【００２８】
図５は、本実施形態に係るモータ１の構成の一部を示す図である。詳しくは、図５は、図３に示すモータ１の下部から第１軸受５ａ及び第１支持プレート６ａを省略した図である。
【００２９】
図５に示すように、モータ１は、オイルを含有する第１多孔質部材９ａを更に備える。第１多孔質部材９ａは下側ハウジング２ｂに配置される。より具体的には、第１多孔質部材９ａは、複数の突出部７の径方向内側に配置される。また、第１多孔質部材９ａは、下側ハウジング２ｂと第１支持プレート６ａとの間に配置される。
【００３０】
第１多孔質部材９ａは、円盤状であり、略中央に中央孔９１を有する。中央孔９１に、第１軸受５ａが配置される。第１多孔質部材９ａは、第１軸受５ａと接触して、第１軸受５ａにオイルを供給する。
【００３１】
第１多孔質部材９ａの材質は、オイルを含有できる材質である限り特に限定されない。例えば、第１多孔質部材９ａは、連続気泡構造体であり得る。連続気泡構造体は、連続する複数の気泡を有し、隣り合う気泡間の壁が開口しており、流体が通過できる部材である。
【００３２】
本実施形態によれば、モータ１が第１多孔質部材９ａを備えることにより、第１軸受５ａの寿命を延ばすことができる。換言すると、モータ１の寿命を延ばすことができる。
【００３３】
詳しくは、第１軸受５ａにはオイルが含有されている。これにより、第１軸受５ａは、シャフト３１を回転自在に支持する。第１軸受５ａのオイルは、シャフト３１を伝って漏れ出たり、蒸発したりする場合がある。その結果、第１軸受５ａのオイルの含有量が減る場合がある。第１軸受５ａのオイルが減ると、表面張力によって第１多孔質部材９ａから第１軸受５ａにオイルが供給される。その結果、モータ１が第１多孔質部材９ａを備えない構成と比べて、第１軸受５ａの寿命を延ばすことができる。第１軸受５ａからオイルが無くなると、第１軸受５ａは回転自在にシャフト３１を支持することができなくなる。したがって、第１軸受５ａからオイルが無くなるまでの期間が第１軸受５ａの寿命となる。モータ１が第１多孔質部材９ａを備えない構成では、第１軸受５ａに含有されたオイルが無くなるまでの期間が第１軸受５ａの寿命となる。一方、本実施形態によれば、第１多孔質部材９ａから第１軸受５ａにオイルが供給される。したがって、第１軸受５ａに含有されたオイルに加えて、第１多孔質部材９ａに含有されたオイルが無くなるまでの期間が第１軸受５ａの寿命となる。よって、第１軸受５ａの寿命を延ばすことができる。
【００３４】
続いて図６を参照して、突出部７について説明する。図６は、本実施形態に係るモータ１の構成の一部を示す断面図である。図６に示すように、突出部７は、第１突出部７１と、第２突出部７２とを有する。第１突出部７１は、弾性力を有し、軸方向に延びる。より具体的には、第１突出部７１は、軸方向内側面２１に接続し、軸方向内側面２１から軸方向に延びる。
【００３５】
第２突出部７２は、第１突出部７１から、軸方向と交差する延伸方向に延びる。本実施形態の第２突出部７２は、径方向外側に延びる。また、第２突出部７２は、第１支持プレート６ａの接触面１０と軸方向に接触する。
【００３６】
続いて図６を参照して、下側ハウジング２ｂについて更に説明する。図６に示すように、下側ハウジング２ｂは、径方向に延びる底部２２と、軸方向に延びる筒状の筒状部２３とを有する。底部２２は、筒状部２３の上端から径方向外側に延びる。下側ハウジング２ｂの軸方向内側面２１は、底部２２の上面である。筒状部２３は、第１軸受５ａの一部を収容する。より具体的には、筒状部２３は、支持面２３ａを有する。支持面２３ａは、回転自在に第１軸受５ａを支持する。筒状部２３が支持面２３ａを有することにより、下側ハウジング２ｂが第１軸受５ａを回転自在に保持する。
【００３７】
図６に示すように、本実施形態の第１軸受５ａは、例えば、軸方向上側及び軸方向下側において、軸方向に対して傾斜する傾斜面を有する。具体的には、本実施形態の第１軸受５ａは、軸方向上側及び軸方向下側に円錐形状を有する。上下各々の円錐面に接触部６１及び支持面２３ａが接触する。更に、本実施形態の第１軸受５ａは、上下の円錐形状の間に円筒面を有し、当該円筒面と第１多孔質部材９ａとが径方向に対向する。第１軸受５ａが円錐面を有することで、付与された圧力により、容易に同心調整を行うことができる。
【００３８】
図７は、本実施形態に係るモータ１の構成の一部を拡大して示す断面図である。詳しくは、図７は、第１支持プレート６ａ及び突出部７を示す。
【００３９】
図７に示すように、第１突出部７１は、突出部配置孔８に配置される。より具体的には、複数の突出部配置孔８にそれぞれ異なる第１突出部７１が配置される。
【００４０】
また、図７に示すように、第１支持プレート６ａは、縁部１１を更に有する。本実施形態において、縁部１１は、突出部配置孔８の縁８ａを含む。より詳しくは、突出部配置孔８の縁８ａは、突出部配置孔８の縁のうち、第２突出部７２が延伸する側の縁である。
【００４１】
また、図７に示すように、第１突出部７１は縁部１１に接触する。より詳しくは、第２突出部７２が延びる延伸方向Ｄにおいて、第１突出部７１と縁部１１とが接触する。本実施形態において、第１突出部７１は、突出部配置孔８の縁８ａに接触する。
【００４２】
また、図７に示すように、第２突出部７２は、スライド面７２１を有する。本実施形態のスライド面７２１は、傾斜面７２１ａと、垂直面７２１ｂとを有する。第１支持プレート６ａが有する突出部７において、スライド面７２１は、第２突出部７２の上側を向く面である。垂直面７２１ｂは、接触面１０に対して垂直である。垂直面７２１ｂは、傾斜面７２１ａのうち、接触面１０に近い側の端部において、傾斜面７２１ａと接続する。
【００４３】
傾斜面７２１ａは、第１支持プレート６ａに近づくにつれ、延伸方向Ｄにおいて第１突出部７１から遠くなる。換言すると、傾斜面７２１ａは、延伸方向Ｄに進むにつれて、第１支持プレート６ａに近づく。
【００４４】
続いて図３〜図７を参照して、第１支持プレート６ａを下側ハウジング２ｂに固定する方法について説明する。まず、下側ハウジング２ｂの複数の突出部７の径方向内側に第１多孔質部材９ａを配置する。次に、第１多孔質部材９ａの中央孔９１を介して、筒状部２３の支持面２３ａに第１軸受５ａを置く。
【００４５】
次に、第１支持プレート６ａの接触部６１を第１軸受５ａの外面に接触させて、第１支持プレート６ａの軸受配置孔６２に第１軸受５ａを配置するとともに、第１支持プレート６ａの突出部配置孔８に突出部７を挿入する。
【００４６】
詳しくは、まず、突出部配置孔８の縁８ａと第２突出部７２のスライド面７２１とが重なるように第１支持プレート６ａを配置する。その後、第１支持プレート６ａを下側ハウジング２ｂの軸方向内側面２１に向けて押す。このとき、突出部配置孔８の縁８ａが第２突出部７２のスライド面７２１を滑りながら、第１支持プレート６ａが下側ハウジング２ｂの軸方向内側面２１に向けて移動する。また、突出部配置孔８の縁８ａが第２突出部７２のスライド面７２１を滑る際には、第１突出部７１が撓む。突出部配置孔８の縁８ａが第２突出部７２のスライド面７２１を通過すると、第１突出部７１が突出部配置孔８に配置される。より具体的には、突出部配置孔８の縁８ａが第１突出部７１と接触する。また、第２突出部７２が接触面１０に接触する。この結果、突出部７が突出部配置孔８に挿入されて、第１支持プレート６ａが下側ハウジング２ｂに固定される。
【００４７】
なお、図３を参照して説明したように、接触部６１は第１軸受５ａに圧力を付与する。したがって、その反作用により、接触面１０が第２突出部７２に圧力を付与する。接触面１０が圧力を付与する方向は、接触部６１が圧力を付与する方向と反対の方向である。また、図６を参照して説明したように、第１突出部７１は弾性力を有する。したがって、第１突出部７１は縁部１１に圧力を付与する。
【００４８】
以上、図３〜図７を参照して、本実施形態に係るモータ１の下部構造について説明した。本実施形態によれば、第１支持プレート６ａを容易に固定することができる。具体的には、第１支持プレート６ａを下側ハウジング２ｂの軸方向内側面２１に向けて押すことにより、第１支持プレート６ａを固定することができる。換言すると、スナップフィット機構によって突出部配置孔８と突出部７とが連結される。
【００４９】
続いて図４を参照して、本実施形態の第１支持プレート６ａについて更に説明する。図４に示すように、第１支持プレート６ａは、複数の切欠き６３を有する。切欠き６３はそれぞれ、隣り合う接触部６１の間において、軸受配置孔６２から径方向外側に向かって延びる。また、本実施形態では、突出部配置孔８はそれぞれ、周方向において隣り合う切欠き６３の間に位置する。したがって、本実施形態によれば、径方向において突出部配置孔８と切欠き６３とが対向する構成に比べて、第１支持プレート６ａが破断し難い。
【００５０】
詳しくは、径方向において突出部配置孔８と切欠き６３とが対向する構成では、第１支持プレート６ａの強度を確保するために、突出部配置孔８と切欠き６３との間の距離を大きくする必要がある。突出部配置孔８と切欠き６３との間の距離が小さい場合、突出部配置孔８と切欠き６３との間で第１支持プレート６ａが破断するおそれがあるためである。特に、板バネをプレス加工して第１支持プレート６ａを製造する場合、製造過程において第１支持プレート６ａが破断するおそれがある。これに対し、本実施形態によれば、突出部配置孔８は径方向において軸受配置孔６２と対向する。したがって、突出部配置孔８と切欠き６３とが対向する構成と比べて、第１支持プレート６ａの強度が向上する。
【００５１】
また、例えば、本実施形態では第１支持プレート６ａは円盤状である。そのような場合、突出部配置孔８と軸受配置孔６２との間の距離を大きくし、互いに離して配置すると、第１支持プレート６ａの外径が大型化してしまう。しかしながら、本実施形態では、径方向における突出部配置孔８と軸受配置孔６２との間の距離を小さくすることができる。したがって、第１支持プレート６ａの大きさを小さくすることができる。詳しくは、突出部配置孔８を径方向のより内側に配置しても、隣り合う突出部配置孔８の間に切欠き６３が位置するため、第１支持プレート６ａが破断し難い。よって、突出部配置孔８と切欠き６３とが対向する構成よりも径方向内側に突出部配置孔８を配置することで、第１支持プレート６ａの大きさを小さくすることができる。
【００５２】
続いて図５を参照して、本実施形態の突出部７について更に説明する。図５に示すように、本実施形態において、４つの突出部７は周方向に９０°間隔で配置される。したがって、下側ハウジング２ｂを容易に製造することができる。
【００５３】
詳しくは、下側ハウジング２ｂは樹脂からなり、金型を用いて製造される。４つの突出部７が周方向に９０°間隔で配置されることにより、同一方向に移動するスライドコアを備える金型を用いて、下側ハウジング２ｂを製造することができる。したがって、金型の作製が容易となる。これに対し、例えば６つの突出部７を周方向に沿って６０°間隔で配置する場合、互いに異なる方向に移動する複数のスライドコアを備える金型を使用する必要があり、金型を容易に作製することができない。したがって、本実施形態によれば、金型の作製が容易となり、下側ハウジング２ｂの製造が容易となる。
【００５４】
続いて図７を参照して、本実施形態の突出部７について更に説明する。図７に示すように、本実施形態では、第１突出部７１の軸方向長さＬ１が、第２突出部７２の軸方向長さＬ２よりも大きい。したがって、第１突出部７１は撓み易い。よって、突出部配置孔８に突出部７を容易に挿入することができる。また、その結果、第１支持プレート６ａの固定作業が容易となる。
【００５５】
続いて図８〜図１０を参照して、本実施形態のモータ１の上部構造について説明する。図８は、本実施形態に係るモータ１の構成の一部を示す図である。詳しくは、図８は、上側ハウジング２ａ付近を下側から見た図である。図９は、本実施形態に係る第２支持プレート６ｂを示す図である。
【００５６】
図８に示すように、モータ１は、上側ハウジング２ａに加えて、第２軸受５ｂと、第２支持プレート６ｂとを更に備える。第２軸受５ｂ及び第２支持プレート６ｂは、上側ハウジング２ａに配置されて、上側ハウジング２ａの収容空間に収容される。
【００５７】
上側ハウジング２ａは、下側ハウジング２ｂと同様に軸方向内側面２１を有する。更に、本実施形態の上側ハウジング２ａは、下側ハウジング２ｂと同様に、突出部７を有する。上側ハウジング２ａは、保持部材の一例であり、第２軸受５ｂを保持する。第２軸受５ｂは、第１軸受５ａと同様に、シャフト３１（図２）を回転自在に支持する。本実施形態において、第２軸受５ｂは、オイルを含有する滑り軸受である。
【００５８】
図９に示すように、第２支持プレート６ｂは、第１支持プレート６ａと同様に、突出部配置孔８と、接触面１０と、接触部６１と、切欠き６３とを有する。また、第２支持プレート６ｂは、第１支持プレート６ａと同様に、軸受配置孔６２を有する。第２支持プレート６ｂの軸受配置孔６２には、第２軸受５ｂが配置される。
【００５９】
図１０は、本実施形態に係るモータ１の構成の一部を示す図である。詳しくは、図１０は、図８に示すモータ１の上部から第２支持プレート６ｂを省略した図である。図１０に示すように、モータ１は、第２多孔質部材９ｂを更に備える。第２多孔質部材９ｂは、上側ハウジング２ａに配置されて、上側ハウジング２ａの収容空間に収容される。第２多孔質部材９ｂは、第１多孔質部材９ａと同様にオイルを含有する。
【００６０】
以上、図８〜図１０を参照してモータ１の上部構造を説明した。本実施形態によれば、第１支持プレート６ａを下側ハウジング２ｂに固定する方法と同様の方法により、第２支持プレート６ｂを上側ハウジング２ａに固定することができる。したがって、第２支持プレート６ｂを容易に固定することができる。
【００６１】
なお、本実施形態では、上側ハウジング２ａ及び下側ハウジング２ｂがそれぞれ４つの突出部７を有したが、突出部７の数は、第１支持プレート６ａ及び第２支持プレート６ｂを固定できる限り、特に限定されない。
【００６２】
また、本実施形態では、第１支持プレート６ａ及び第２支持プレート６ｂがそれぞれ４つの接触部６１を有したが、接触部６１の数は、第１軸受５ａ及び第２軸受５ｂを同心調整自在に支持できる限り、特に限定されない。
【００６３】
また、本実施形態では、第２突出部７２は径方向外側に延びたが、第２突出部７２が延びる方向は、軸方向と交差する方向に延びる限り、特に限定されない。より具体的には、スナップフィット機構によって突出部配置孔８と突出部７とを連結できる限り、第２突出部７２が延びる方向は特に限定されない。例えば、第２突出部７２は、径方向内側に延びてもよい。あるいは、第２突出部７２は、周方向に延びてもよい。
【００６４】
また、本実施形態では、下側ハウジング２ｂが突出部７を有し、第１支持プレート６ａが突出部配置孔８及び接触面１０を有したが、下側ハウジング２ｂが突出部配置孔８及び接触面１０を有し、第１支持プレート６ａが突出部７を有してもよい。同様に、本実施形態では、上側ハウジング２ａが突出部７を有し、第２支持プレート６ｂが突出部配置孔８及び接触面１０を有したが、上側ハウジング２ａが突出部配置孔８及び接触面１０を有し、第２支持プレート６ｂが突出部７を有してもよい。但し、第１支持プレート６ａと第２支持プレート６ｂとが突出部配置孔８を有することにより、下側ハウジング２ｂと上側ハウジング２ａとが突出部配置孔８を有する構成と比べて、モータ１の内部に粉塵又は水分のような異物が侵入し難くなる。
【００６５】
［実施形態２］
続いて図１１を参照して、本発明の実施形態２について説明する。但し、実施形態１と異なる事項を説明し、実施形態１と同じ事項についての説明は割愛する。実施形態２は、下側ハウジング２ｂ及び上側ハウジング２ａの構成が実施形態１と異なる。
【００６６】
図１１は、実施形態２に係るモータ１の構成の一部を示す図である。詳しくは、図１１は、下側ハウジング２ｂと、第１多孔質部材９ａと、壁部２４ａとを示す。図１１に示すように、本実施形態の下側ハウジング２ｂは、壁部２４ａを有する。
【００６７】
壁部２４ａは、隣り合う突出部７の間に配置されて、複数の突出部７を連結する。第１多孔質部材９ａは、壁部２４ａの径方向内側に配置される。また、第１多孔質部材９ａは、第１支持プレート６ａと下側ハウジング２ｂとの間に配置される。
【００６８】
詳しくは、下側ハウジング２ｂの壁部２４ａは、軸方向内側面２１から上方に突出する。換言すると、下側ハウジング２ｂの壁部２４ａの下面は、軸方向内側面２１に接続する。また、壁部２４ａは、周方向に延びる。壁部２４ａの周方向一端面は、突出部７の周方向他端面と接続する。
【００６９】
なお、上側ハウジング２ａも下側ハウジング２ｂと同様に壁部２４ａを有する。上側ハウジング２ａの構成は、下側ハウジング２ｂと同様であるため、その詳細な説明は省略する。
【００７０】
以上、本発明の実施形態２について説明した。本実施形態によれば、第１多孔質部材９ａの外周面の少なくとも一部が、突出部７及び壁部２４ａによって覆われる。したがって、第１軸受５ａ以外の部分にオイルが漏れ難くなる。同様に、第２多孔質部材９ｂの外周面の少なくとも一部が、突出部７及び壁部２４ａによって覆われる。したがって、第２軸受５ｂ以外の部分にオイルが漏れ難くなる。また、下側ハウジング２ｂが壁部２４ａを有することにより、第１多孔質部材９ａの配置が容易となる。同様に、上側ハウジング２ａが壁部２４ａを有することにより、第２多孔質部材９ｂの配置が容易となる。
【００７１】
本実施形態では、隣り合う突出部７の間にそれぞれ壁部２４ａが配置される。突出部７の数は、壁部２４ａの数と等しい。このため、壁部２４ａの外部にオイルが漏れ難い。換言すると、第１軸受５ａ以外の部分にオイルが漏れ難い。更に、第１多孔質部材９ａが、壁部２４ａの径方向内側であって、下側ハウジング２ｂと第１支持プレート６ａとの間に配置されることで、第１多孔質部材９ａからオイルが漏れ出ること、又は蒸発することが抑制される。
【００７２】
なお、下側ハウジング２ｂ及び上側ハウジング２ａはそれぞれ、周方向に沿って断続的に配置される複数の壁部を有してもよい。この場合、複数の壁部は、突出部７に接続してもよいし、接続しなくてもよい。換言すると、隣り合う突出部７の間に、径方向に貫通する空隙が設けられてもよい。また、下側ハウジング２ｂ及び上側ハウジング２ａはそれぞれ、１つの壁部を有してもよいし、２つ以上の壁部を有してもよい。
【００７３】
［実施形態３］
続いて図１２〜図１５を参照して、本発明の実施形態３について説明する。但し、実施形態１及び２と異なる事項を説明し、実施形態１及び２と同じ事項についての説明は割愛する。実施形態３は、第１支持プレート６ａと突出部７とが連結する位置が実施形態１及び２と異なる。同様に、第２支持プレート６ｂと突出部７とが連結する位置が実施形態１及び２と異なる。
【００７４】
図１２は、実施形態３に係るモータ１の構成の一部を示す図である。詳しくは、図１２は、下側ハウジング２ｂ付近を上側から見た図である。また、図１３は、実施形態３に係るモータ１の構成の一部を示す断面図である。詳しくは、図１３は、モータ１の下部構造を示す。図１４は、実施形態３に係るモータ１の構成の一部を拡大して示す断面図である。詳しくは、図１３は、第１支持プレート６ａ及び突出部７を示す。
【００７５】
図１２に示すように、実施形態３の第１支持プレート６ａは、実施形態１において説明した突出部配置孔８を有していない。また、図１３に示すように、実施形態３において、第２突出部７２は径方向内側に延びる。また、図１４に示すように、実施形態３において、縁部１１は、第１支持プレート６ａの外縁６４を含む。したがって、第１突出部７１は、延伸方向Ｄにおいて第１支持プレート６ａの外縁６４と接触する。換言すると、突出部７は、第１支持プレート６ａの外縁６４に連結する。
【００７６】
なお、第２支持プレート６ｂは、第１支持プレート６ａと同様に、突出部配置孔８を有していない。また、モータ１の上部構造においても、モータ１の下部構造と同様に、第２支持プレート６ｂの外縁６４に突出部７が連結する。モータ１の上部構造におけるスナップフィット機構は、モータ１の下部構造におけるスナップフィット機構と同様であるため、その詳細な説明は省略する。
【００７７】
以上、本発明の実施形態３について説明した。実施形態３によれば、実施形態１及び２と同様に、第１支持プレート６ａ及び第２支持プレート６ｂを容易に固定することができる。また、実施形態３によれば、第１支持プレート６ａ及び第２支持プレート６ｂは突出部配置孔８を有していない。したがって、第１支持プレート６ａ及び第２支持プレート６ｂが突出部配置孔８を有する構成と比べて、第１支持プレート６ａ及び第２支持プレート６ｂの強度が向上する。
【００７８】
図１５は、実施形態３に係るモータ１の他の構成の一部を示す断面図である。詳しくは、図１５は、モータ１の他の構成の下部構造を示す。下側ハウジング２ｂは、壁部２４ａ（図１０）を有してもよい。壁部２４ａは、複数の突出部７を連結する。あるいは、下側ハウジング２ｂは、図１５に示すように、壁部２４ｂを有してもよい。壁部２４ｂは、複数の突出部７の径方向内側に配置される。
【００７９】
壁部２４ｂは、軸方向内側面２１から突出する。換言すると、壁部２４ｂは、軸方向内側面２１に接続する。
【００８０】
壁部２４ｂは、周方向に延びる。例えば、壁部２４ｂは、周方向全周にわたって延びる。あるいは、壁部２４ｂは円弧状に延びる。この場合、下側ハウジング２ｂは、１つの壁部２４ｂを有してもよいし、周方向に沿って断続的に配置される複数の壁部２４ｂを有してもよい。
【００８１】
下側ハウジング２ｂと同様に、上側ハウジング２ａも、壁部２４ａ又は壁部２４ｂを有し得る。
【００８２】
［実施形態４］
続いて図１６〜図１８を参照して、本発明の実施形態４について説明する。但し、実施形態１〜３と異なる事項を説明し、実施形態１〜３と同じ事項についての説明は割愛する。実施形態４は、第１支持プレート６ａと突出部７とが連結する位置が実施形態１〜３と異なる。同様に、第２支持プレート６ｂと突出部７とが連結する位置が実施形態１〜３と異なる。
【００８３】
図１６は、実施形態４に係るモータ１の構成の一部を示す図である。詳しくは、図１６は、下側ハウジング２ｂ付近を上側から見た図である。また、図１７は、実施形態４に係る第１支持プレート６ａを示す図である。図１８は、実施形態４に係るモータ１の構成の一部を示す断面図である。詳しくは、図１８は、モータ１の下部構造を示す。
【００８４】
図１６及び図１７に示すように、実施形態４の第１支持プレート６ａは、実施形態１において説明した突出部配置孔８を有していない。図１７に示すように、実施形態４の第１支持プレート６ａは、第１支持プレート６ａの外縁６４から凹む複数の凹部６５を有する。更に、図１７に示すように、実施形態４において、縁部１１は各凹部６５の縁６５ａを含む。
【００８５】
また、図１８に示すように、実施形態４において、第２突出部７２は径方向内側に延びる。また、図１６〜図１８に示すように、実施形態４において、複数の第１突出部７１はそれぞれ異なる凹部６５に配置される。したがって、第１突出部７１は、延伸方向Ｄにおいて凹部６５の縁６５ａと接触する。換言すると、突出部７は、第１支持プレート６ａの凹部６５に連結する。
【００８６】
なお、第２支持プレート６ｂは、第１支持プレート６ａと同様に、突出部配置孔８を有していない。また、モータ１の上部構造においても、モータ１の下部構造と同様に、第２支持プレート６ｂの凹部６５に突出部７が連結する。モータ１の上部構造におけるスナップフィット機構は、モータ１の下部構造におけるスナップフィット機構と同様であるため、その詳細な説明は省略する。
【００８７】
以上、本発明の実施形態４について説明した。実施形態４によれば、実施形態１〜３と同様に、第１支持プレート６ａ及び第２支持プレート６ｂを容易に固定することができる。また、実施形態４によれば、第１支持プレート６ａ及び第２支持プレート６ｂは突出部配置孔８を有していない。したがって、第１支持プレート６ａ及び第２支持プレート６ｂが突出部配置孔８を有する構成と比べて、第１支持プレート６ａ及び第２支持プレート６ｂの強度が向上する。
【００８８】
なお、下側ハウジング２ｂは、図１１を参照して説明した壁部２４ａを有してもよいし、図１５を参照して説明した壁部２４ｂを有してもよい。同様に、上側ハウジング２ａは、図１１を参照して説明した壁部２４ａを有してもよいし、図１５を参照して説明した壁部２４ｂを有してもよい。
【００８９】
また、本実施形態では、第２突出部７２は径方向内側に延びたが、第２突出部７２が延びる方向は、軸方向と交差する方向に延びる限り、特に限定されない。より具体的には、スナップフィット機構によって凹部６５と突出部７とを連結できる限り、第２突出部７２が延びる方向は特に限定されない。例えば、第２突出部７２は、周方向に延びてもよい。
【００９０】
以上、本発明の実施形態１〜４について図面を参照しながら説明した。但し、本発明は、上記の実施形態に限られない。本発明は、その要旨を逸脱しない範囲で種々の態様において実施することが可能である。
【００９１】
例えば、本発明による実施形態では、モータ１が第１多孔質部材９ａ及び第２多孔質部材９ｂを備えたが、第１多孔質部材９ａ及び第２多孔質部材９ｂの少なくとも一方は省略されてもよい。
【００９２】
また、本発明による実施形態では、モータ１の下部構造及び上部構造のそれぞれに、スナップフィット機構が設けられたが、モータ１の下部構造及び上部構造の一方にのみ、スナップフィット機構が設けられてもよい。
【００９３】
また、本実施形態では、スライド面７２１は傾斜面７２１ａと垂直面７２１ｂとを有したが、スライド面７２１の形状は、縁部１１が滑り易い形状である限り、特に限定されない。
【００９４】
例えば、スライド面７２１は、図１９に示すように、曲面であってもよい。図１９は、本発明の他の実施形態に係る突出部７を示す断面図である。詳しくは、図１９は、第１支持プレート６ａ及び突出部７を示す。図１９に示すスライド面７２１は、半円弧面である。具体的には、スライド面７２１は、第１円弧面７２１ｃと、第２円弧面７２１ｄとを有する。
【００９５】
第１円弧面７２１ｃは、第１支持プレート６ａに近づくにつれ、延伸方向Ｄにおいて第１突出部７１から遠くなる。換言すると、第１円弧面７２１ｃは、延伸方向Ｄに進むにつれて、第１支持プレート６ａに近づく。
【００９６】
第２円弧面７２１ｄは、第１円弧面７２１ｃのうち、接触面１０に近い側の端部において、第１円弧面７２１ｃと接続する。第２円弧面７２１ｄは、第１支持プレート６ａに近づくにつれ、延伸方向Ｄと反対の方向において、第１突出部７１に近づく。換言すると、第２円弧面７２１ｄは、延伸方向Ｄと反対の方向に進むにつれて、第１支持プレート６ａに近づく。
【産業上の利用可能性】
【００９７】
本発明は、モータに好適に利用することができる。特に本発明は、小型モータに有用である。
【符号の説明】
【００９８】
１        モータ
２        ハウジング
２ａ      上側ハウジング
２ｂ      下側ハウジング
３        ロータ
４        ステータ
５ａ      第１軸受
５ｂ      第２軸受
６ａ      第１支持プレート
６ｂ      第２支持プレート
７        突出部
８        突出部配置孔
８ａ      縁
１０      接触面
１１      縁部
２１      軸方向内側面
３１      シャフト
６１      接触部
６２      軸受配置孔
６２ａ    縁
６４      外縁
６５      凹部
６５ａ    縁
７１      第１突出部
７２      第２突出部
７２１    スライド面
ＣＡ      中心軸
Ｄ        延伸方向
【図１】
2020034105.tif 000003
【図２】
2020034105.tif 000004
【図３】
2020034105.tif 000005
【図４】
2020034105.tif 000006
【図５】
2020034105.tif 000007
【図６】
2020034105.tif 000008
【図７】
2020034105.tif 000009
【図８】
2020034105.tif 000010
【図９】
2020034105.tif 000011
【図１０】
2020034105.tif 000012
【図１１】
2020034105.tif 000013
【図１２】
2020034105.tif 000014
【図１３】
2020034105.tif 000015
【図１４】
2020034105.tif 000016
【図１５】
2020034105.tif 000017
【図１６】
2020034105.tif 000018
【図１７】
2020034105.tif 000019
【図１８】
2020034105.tif 000020
【図１９】
2020034105.tif 000021